(57)【要約】【課題】表示装置に逐次表示されるライブビュー画像における画像効果を反映したベストショット画像を選択すること。【解決手段】デジタルカメラ１は、撮像素子１３と、撮像素子１３で撮像された複数のフレーム画像を逐次記憶する記憶部１８と、記憶部１８に記憶された複数のフレーム画像から、所定の基準に基づく評価値に応じて所定数のフレーム画像を選択する選択部１７と、記憶部１８に記憶された画像を表示装置１５に逐次表示させる表示制御部１７と、表示装置１５に画像が逐次表示されている状態で、画像に画像効果を施す画像処理部１７と、画像に施す画像効果に応じて、選択部１７による選択の基準を変更させる制御部１７と、を備える。【選択図】図１
2014086871.tif 000002
【特許請求の範囲】
【請求項１】
撮像素子と、
前記撮像素子で撮像された複数のフレーム画像を逐次記憶する記憶部と、
前記記憶部に記憶された前記複数のフレーム画像から、所定の基準に基づく評価値に応じて所定数のフレーム画像を選択する選択部と、
前記記憶部に記憶された画像を表示装置に逐次表示させる表示制御部と、
前記表示装置に前記画像が逐次表示されている状態で、前記画像に画像効果を施す画像処理部と、
前記画像に施す前記画像効果に応じて、前記選択部による選択の基準を変更させる制御部と、
を備えることを特徴とするデジタルカメラ。
【請求項２】
請求項１に記載のデジタルカメラにおいて、
前記制御部は、前記画像に施す前記画像効果の設定値に応じて、前記選択部による選択の基準を変更させることを特徴とするデジタルカメラ。
【請求項３】
請求項２に記載のデジタルカメラにおいて、
前記制御部は、シャッター速度が所定値より速く変更された場合に、画像の尖鋭度を示す評価値の重みを高めさせることを特徴とするデジタルカメラ。
【請求項４】
請求項３に記載のデジタルカメラにおいて、
前記制御部は、前記シャッター速度が所定値より遅く変更された場合に、前記画像の尖鋭度を示す評価値、前記被写体の目つぶりを示す評価値、および前記被写体の笑顔を示す評価値のうち、少なくとも１つの評価値の重みを低くさせることを特徴とするデジタルカメラ。
【請求項５】
請求項２に記載のデジタルカメラにおいて、
前記制御部は、絞りが所定値より絞り込むように変更された場合に、画像の尖鋭度を示す評価値の重みを高めさせることを特徴とするデジタルカメラ。
【請求項６】
請求項５に記載のデジタルカメラにおいて、
前記制御部は、前記絞りが所定値より開放側へ変更された場合に、前記画像の尖鋭度を示す評価値の重みを低くさせることを特徴とするデジタルカメラ。
【請求項７】
請求項２に記載のデジタルカメラにおいて、
前記制御部は、露出補正が正側に変更された場合に、画像の構図を示す評価値の重みを高めさせることを特徴とするデジタルカメラ。
【請求項８】
請求項７に記載のデジタルカメラにおいて、
前記制御部は、前記露出補正が負側に変更された場合に、前記画像の尖鋭度を示す評価値、および前記画像の輝度分布を示す評価値に基づいて画像を選択させることを特徴とするデジタルカメラ。
【請求項９】
請求項２に記載のデジタルカメラにおいて、
前記制御部は、コントラスト補正を行うように変更された場合に、画像の輝度分布を示す評価値の重みを高めさせることを特徴とするデジタルカメラ。
【請求項１０】
請求項９に記載のデジタルカメラにおいて、
前記制御部は、前記コントラスト補正を行わないように変更された場合に、前記画像の輝度分布を示す評価値の重みを低くさせることを特徴とするデジタルカメラ。
【発明の詳細な説明】
【技術分野】
【０００１】
本発明は、デジタルカメラに関する。
【背景技術】
【０００２】
ライブビュー表示と呼ばれ、所定の周期で撮像した画像を表示部に逐次表示させる機能が知られている（特許文献１参照）。例えば、ユーザーが絞り値を変更した場合は、変更後の画像効果として被写界深度をライブビュー画像から確認できる。
【０００３】
また、撮影指示の前後において取得した複数の静止画像の中から、数コマのベストショット画像を選ぶモードが知られている（特許文献２参照）。
【先行技術文献】
【特許文献】
【０００４】
【特許文献１】特許第４７５０６１６号公報
【特許文献２】特開２０１１−２２９１２７号公報
【発明の概要】
【発明が解決しようとする課題】
【０００５】
従来技術では、ベストショット画像として、ライブビュー画像における画像効果を反映する画像を選ぶことができなかった。
【課題を解決するための手段】
【０００６】
本発明によるデジタルカメラは、撮像素子と、撮像素子で撮像された複数のフレーム画像を逐次記憶する記憶部と、記憶部に記憶された複数のフレーム画像から、所定の基準に基づく評価値に応じて所定数のフレーム画像を選択する選択部と、記憶部に記憶された画像を表示装置に逐次表示させる表示制御部と、表示装置に画像が逐次表示されている状態で、画像に画像効果を施す画像処理部と、画像に施す画像効果に応じて、選択部による選択の基準を変更させる制御部と、を備えることを特徴とする。
【発明の効果】
【０００７】
本発明によるデジタルカメラでは、表示装置に逐次表示されるライブビュー画像における画像効果を反映したベストショット画像を選択できる。
【図面の簡単な説明】
【０００８】
【図１】本発明の一実施の形態によるデジタルカメラの構成を例示するブロック図である。
【図２】ベストショット静止画モードにおける画像の取得タイミングを説明する図である。
【図３】ＬＣメニュー画面を例示する図である。
【図４】シャッター速度変更画面を例示する図である。
【図５】ベストショット静止画モードにおいてＣＰＵが実行する処理の流れを説明するフローチャートである。
【図６】ベストショット静止画モードにおける設定項目と画像選択基準との関係を例示する図である。
【発明を実施するための形態】
【０００９】
以下、図面を参照して本発明を実施するための形態について説明する。本実施形態のデジタルカメラは、撮影指示の前後において取得した複数の静止画像の中から、数コマのベストショット画像を選んで記録する撮影モード（「ベストショット静止画モード」と呼ぶ）を備える。「ベストショット静止画モード」の設定／解除は、例えば、モードダイヤルによって行う。そして、上記ベストショット画像を選ぶ基準を、ライブビュー画像の表示画面において設定変更可能に構成する。
【００１０】
図１は、本発明の一実施の形態によるデジタルカメラ１の構成を例示するブロック図である。図１においてデジタルカメラ１は、撮像光学系１１と、絞り１２と、撮像素子１３と、画像処理部１４と、表示部１５と、絞り駆動部１６と、ＣＰＵ１７と、ＲＡＭ１８と、フラッシュメモリ１９と、画像記録／再生部２０と、操作部材２１と、 を備える。
【００１１】
撮像光学系１１は、撮像素子１３の撮像面に被写体像を結像させる。撮像光学系１１は、フォーカシングレンズを含む複数のレンズ群で構成される。絞り１２は、撮像素子１３に入射する被写体光束の量を調節する。絞り１２の開口径は、絞り駆動部１６によって駆動制御される。絞り駆動部１６に対する駆動指示は、後述するコマンドダイヤルからの操作信号、またはＡＰＥＸ演算結果に基づいてＣＰＵ１７が行う。
【００１２】
撮像素子１３は、ＣＭＯＳイメージセンサなどによって構成される。撮像素子１３は、撮像面上に結像された被写体像を撮像画素で光電変換し、画像信号を出力する。画像処理部１４は、撮像素子１３から読み出され、図示しないＡ／Ｄ変換部でデジタル信号に変換された画像信号に対して所定の画像処理を行う。画像処理部１４はさらに、画像処理後の画像データに基づく再生画像を表示部１５に表示させるためのリサイズ処理などを行う。
【００１３】
表示部１５は液晶パネルによって構成される。表示部１５は、ライブビュー画像や再生画像、メニュー画面などを表示する。ＣＰＵ１７は、ＲＡＭ１８を作業領域として制御プログラムを実行し、デジタルカメラ１の各部に対する種々の制御を行う。ＣＰＵ１７はさらに、画像信号から被写体の明るさを検出し、検出結果に基づいてＡＰＥＸ演算により露出値を求め、上記ＩＳＯ感度や絞り値、シャッター速度を算出する。また、画像データを格納した所定形式の画像ファイルを生成したり、圧縮処理を行ったりする。フラッシュメモリ１９は、ＣＰＵ１７が実行するプログラムやデータを格納する。
【００１４】
画像記録／再生部２０は、ＣＰＵ１７からの指示に基づいて画像ファイルを記録媒体３０に記録したり、記録媒体３０に記録されている画像ファイルを読出したりする。記録媒体３０は、例えば、図示しないカードスロットに着脱自在に取り付けられるメモリカードによって構成される。
【００１５】
操作部材２１は、電源スイッチ、シャッターボタン、十字スイッチ、ＬＣボタン、モードダイヤル、およびコマンドダイヤルなどを含み、各操作に応じた操作信号をＣＰＵ１７へ送出する。十字スイッチは、上下左右などの操作方向を示す信号を出力するスイッチである。ＬＣボタンは、ライブビューモードおよび「ベストショット静止画モード」において、ＬＣメニュー画面を表示部１５に表示させるためのボタンである。ＬＣメニューとは、表示部１５へライブビュー画像を表示させながら、項目の変更を行うためのメニューである。
【００１６】
モードダイヤルは、ライブビュー画像を表示部１５に逐次表示させながら撮影処理を行うライブビューモード、「ベストショット静止画モード」、画像ファイルに基づく再生画像を表示部１５に表示させる再生処理モードなどを設定するためのダイヤルである。コマンドダイヤルは、絞り値やシャッター速度を設定するためのダイヤルである。ライブビューモードおよび「ベストショット静止画モード」では、コマンドダイヤルを用いて設定された絞り値やシャッター速度による画像効果が、ライブビュー画像にも反映され、表示部１５に逐次表示される。
【００１７】
＜ベストショット静止画の取得＞
「ベストショット静止画モード」に切替えられたＣＰＵ１７は、上記構成を有することにより、バッファメモリとして機能するＲＡＭ１８に所定のフレームレート（例えば６０ｆｐｓ）で記憶された、複数のフレーム画像（例えば２０ 枚）からベストショット画像を選ぶ。具体的には、所定の画像選択基準に基づいて各フレーム画像に対する評価値を算出し、評価値が高い方から所定枚数（例えば５枚）のフレーム画像を選び、そのうち評価値が最も高い１枚のフレーム画像をベストショット画像とする。なお、メニュー操作などによって、上記所定枚数を変更可能（例えば３枚、または１０枚）に構成してもよい。
【００１８】
ＣＰＵ１７は、上記選択した画像に基づいて、上記所定枚数の静止画データを生成する。生成する静止画データは、ＲＡＷ形式でもＪＰＥＧ形式でもよい。そして、生成した静止画データを、互いに関連付けて記録媒体３０に記録する。
【００１９】
上記ベストショット静止画データの生成、記録は、以下のように行われる。図２は、「ベストショット静止画モード」における画像の取得タイミングを説明する図である。「ベストショット静止画モード」において、シャッターボタンが半押し操作されると（Ｓ１オン）、ＣＰＵ１７が先撮り開始を指示する。先撮り開始指示により、ＲＡＭ１８に対して撮像素子１３で取得された画像データの一時記憶（蓄積）が始まる。これにより、６０ｆｐｓのフレームレートで得られたフレーム画像が、逐次ＲＡＭ１８に蓄積される。
【００２０】
先撮り撮影のために使用するＲＡＭ１８のメモリ容量は、あらかじめ十分な容量が確保されている。ＣＰＵ１７は、ＲＡＭ１８内に蓄積したフレーム画像のフレーム数が所定枚数（例えば３００枚(５秒分)）に達した場合には、古いフレーム画像から順に上書き消去する。これにより、先撮り撮影のために使用するＲＡＭ１８のメモリ容量を制限できる。
【００２１】
先撮り開始後、シャッターボタンが全押し操作されると（Ｓ２オン）、ＣＰＵ１７は、上記Ｓ２オンから所定枚数（例えば８枚）のフレーム画像が撮影されるまで、または所定時間（例えば０．１秒）が経過する まで、上記先撮りの場合と同様に、ＲＡＭ１８に対して画像データの一時記憶（蓄積）を行う（後撮り）。
【００２２】
ＣＰＵ１７は、デフォルト設定として、ＲＡＭ１８に蓄積されているフレーム画像のうち、例えばＳ２オン前０．２秒間分のフレーム画像（フレーム数は１２）と、Ｓ２オン後０．１秒間分のフレーム画像（フレーム数は８）の計０．３秒間分のフレーム画像（フレーム数は２０）に基づいて、あらかじめ設定されている画像選択基準に基づいて、上述したように５枚のフレーム画像を選ぶ。
【００２３】
＜ＬＣメニュー処理＞
ＣＰＵ１７は、ライブビューモードまたは「ベストショット静止画モード」において操作部材２１を構成するＬＣボタンが押下操作されると、図３に例示する「ＬＣメニュー」画面を表示部１５に表示させる。「ＬＣメニュー」には、シャッター速度を変更するための「動きを表現する」項目１０１、絞り１２の開口径を変更するための「背景をぼかす」項目１０２、露出補正のための「明るさを変える」項目１０３、およびハイライト部とシャドー部の輝度差の大きい場合に適度なコントラストを保つための「明暗差を変える」項目１０４が、上下に並べて表示される。
【００２４】
ＣＰＵ１７は、「ＬＣメニュー」画面を表示中に、操作部材２１を構成する十字スイッチが上下方向に押下操作されると、操作信号に応じて選択項目を上下に変更する。ＣＰＵ１７は、「ＬＣメニュー」画面を表示中に、操作部材２１を構成する「ＯＫ」スイッチが押下操作されると、「ＬＣメニュー」画面の表示を終了し、「ＬＣメニュー」画面を表示する前の元の表示画面（例えばライブビュー画像）に戻す。ＣＰＵ１７は、「動きを表現する」項目１０１を選択した状態で十字スイッチ２２右方向に押下操作されると、図４に例示する「シャッター速度変更」画面を表示部１５に表示させる。
【００２５】
＜ライブビュー表示中に行う設定値変更＞
図４において、「シャッター速度変更」画面は、ライブビュー画像に重ねてスライドバー１１１を表示したものである。ＣＰＵ１７は、「シャッター速度変更」画面を表示部１５に表示させた状態で、シャッター速度（設定値）の変更操作を受け付ける。ＣＰＵ１７は、コマンドダイヤルの操作に応じてスライドバー１１１の上に表示されているノブ１１２を上下に移動させるとともに、ノブ１１２の位置に対応するシャッター速度となるように撮像素子１３の蓄積時間を制御する。例えば、ノブ１１２が上に移動されるとシャッター速度を高速（蓄積時間が短い）にし、ノブ１１２が下に移動されるとシャッター速度を低速（蓄積時間が長い）にする。なお、「シャッター速度変更」画面を表示部１５へ表示中は、操作部材２１を構成する十字スイッチが上下に操作された場合にも、ノブ１１２の位置変更を行うように構成されている。
【００２６】
ＣＰＵ１７は、シャッター速度変更後に取得された画像信号に基づいて測光処理を行い、被写体の明るさを測定する。ＣＰＵ１７は、変更後のシャッター速度、測定した被写体の明るさ（以後、「輝度情報」とする）を用いてＡＰＥＸ演算により露出値を求め、ＩＳＯ感度および絞り値を算出する。ＣＰＵ１７はさらに、算出したＩＳＯ感度へ変更するとともに、絞り１２を算出した絞り値へ駆動制御するように絞り駆動部１６へ指示を送る。
【００２７】
デジタルカメラ１のＣＰＵ１７は、上述したライブビュー表示中のシャッター速度変更の場合と同様に、「ＬＣメニュー」における項目の変更を行い、スライドバー１１１の上に表示されているノブ１１２の上下移動に対応させて、当該設定値変更を反映させたライブビュー画像を表示部１５に表示させる。
【００２８】
すなわち、「背景をぼかす」項目１０２が選択された場合のＣＰＵ１７は、スライドバー１１１の上に表示されているノブ１１２の上下移動に対応させて絞り１２を制御する。「明るさを変える」項目１０３が選択された場合のＣＰＵ１７は、スライドバー１１１の上に表示されているノブ１１２の上下移動に対応させて露出補正量を制御する。なお、「背景をぼかす」項目１０２が選択されている場合のスライドバー１１１は絞り１２の絞り値に対応し、「明るさを変える」項目１０３が選択されている場合のスライドバー１１１は露出補正量（設定値）に対応する。
【００２９】
また、ＣＰＵ１７は、「明暗差を変える」項目１０４が選択された場合はスライドバー１１１の上に表示されているノブ１１２の上下移動に対応させてコントラストを制御する。この場合のスライドバー１１１（または設定値）は、明暗差に対応する。
【００３０】
本実施形態は、上述したライブビューモードにおいて「ＬＣメニュー」で各項目の設定変更を行うと、変更後の内容に応じてベストショット画像の選択基準を変更する点に特徴を有するので、以降の説明はこの点を中心に行う。図５は、ライブビューモードにおいてＣＰＵ１７が実行する処理の流れを説明するフローチャートである。ＣＰＵ１７は、「ベストショット静止画モード」が設定された場合に図５による処理を起動させる 。図５によるプログラムは、フラッシュメモリ１９に格納されている。
【００３１】
図５のステップＳ１１において、ＣＰＵ１７はライブビュー画像の表示を開始させてステップＳ１２へ進む。これにより、撮像素子１３によって所定のフレームレート（例えば６０ｆｐｓ）で撮像されたライブビュー画像が、表示部１５に逐次表示される。
【００３２】
ステップＳ１２において、ＣＰＵ１７は、ライブビュー画像の画像信号に基づいて測光処理を行い、「輝度情報」を測定してステップＳ１３へ進む。ステップＳ１３において、ＣＰＵ１７は、上記「輝度情報」に基づいて露出値を求め、ＩＳＯ感度、絞り値、シャッター速度のうち、必要な制御量を制御してステップＳ１４へ進む。
【００３３】
ステップＳ１４において、ＣＰＵ１７は、ＬＣボタンが操作されたか否かを判定する。ＣＰＵ１７は、操作部材２１からＬＣボタン操作を示す操作信号が入力された場合にステップＳ１４を肯定判定してステップＳ１５へ進む。ＣＰＵ１７は、操作部材２１からＬＣボタン操作を示す操作信号が入力されない場合には、ステップＳ１４を否定判定してステップＳ１８へ進む。
【００３４】
ステップＳ１５において、ＣＰＵ１７は、図３に例示した「ＬＣメニュー」画面を表示部１５に表示させてステップＳ１６へ進む。ステップＳ１６において、ＣＰＵ１７は、選択された項目１０１〜１０４が前回設定された項目と異なるか否かを判定する。ＣＰＵ１７は、項目が異なる場合または項目が初めて設定される場合にステップＳ１６を肯定判定してステップＳ１７へ進む。ＣＰＵ１７は、項目が変更されていない場合、つまり項目が同じ項目である場合には、ステップＳ１６を否定判定してステップＳ２５へ進む。
【００３５】
ステップＳ１７へ進んだＣＰＵ１７は、ライブビュー画像に付加された画像効果を解除し、 項目設定を変更してステップＳ２５へ進む 。ここでは、ステップＳ１７にて項目１０１が選択された場合について説明する。ステップＳ２５〜ステップＳ２８は、上記「ライブビュー表示中に行うシャッター速度の設定変更」に対応する。ＣＰＵ１７は、ステップＳ２５において、ライブビュー画像に重ねてスライドバー１１１を表示させてステップＳ２６へ進む。
【００３６】
ステップＳ２６において、ＣＰＵ１７は、スライドバー１１１上のノブ１１２が移動されたか否かを判定する。ＣＰＵ１７は、ノブ１１２が移動されるとステップＳ２６を肯定判定してステップＳ２７へ進み、ノブ１１２が移動されない場合には、ステップＳ２６を否定判定してステップＳ１８へ進む。
【００３７】
ステップＳ２７において、ＣＰＵ１７は、移動後のノブ１１２の位置に応じて設定値（項目１０１の場合はシャッター速度）を変更してステップＳ２８へ進む。ＣＰＵ１７は、ステップＳ２８において、ベストショット画像の選択（ステップＳ２２）用の評価値を得るための画像選択基準を変更する。設定項目と画像選択基準との関係については、後述する。ＣＰＵ１７は、ベストショット画像の選択（ステップＳ２２）用の画像選択基準を変更すると、ステップＳ２５へ戻る。
【００３８】
ステップＳ１８において、ＣＰＵ１７は、シャッターボタンの半押し操作の有無を判定する。ＣＰＵ１７は、シャッターボタンが半押し操作されると（Ｓ１オン）、ステップＳ１８を肯定判定してステップＳ１９へ進み、シャッターボタンが半押し操作されない場合には、ステップＳ１８を否定判定してステップＳ１６へ戻る。
【００３９】
ステップＳ１９において、ＣＰＵ１７は、上記「先撮り」を開始させてステップＳ２０へ進む。ステップＳ２０において、ＣＰＵ１７は、撮影指示操作の有無を判定する。ＣＰＵ１７は、シャッターボタンが全押し操作されると（Ｓ２オン）、ステップＳ２０を肯定判定してステップＳ２１へ進み、シャッターボタンが全押し操作されない場合には、ステップＳ２０を否定判定してステップＳ２４へ進む。
【００４０】
ステップＳ２１において、ＣＰＵ１７は撮影処理を行う。例えば、Ｓ２オン以降の後撮りを開始してステップＳ２２へ進む。ステップＳ２２において、ＣＰＵ１７は、上述した「ベストショット静止画の取得」の通り、Ｓ２オン前後の２０枚のフレーム画像の中からベストショット選択処理を行ってステップＳ２３へ進む。ステップＳ２３において、ＣＰＵ１７は、選択された５枚の画像に基づいて生成した５枚分の静止画データを記録媒体３０に記録し、ステップＳ２４へ進む。
【００４１】
ステップＳ２４において、ＣＰＵ１７は、終了操作が行われたか否かを判定する。ＣＰＵ１７は、例えば「ベストショット静止画モード」が解除されライブビューモードまたは再生処理モードへ切替え操作が行われた場合に、ステップＳ２４を肯定判定して図５による処理を終了する。ＣＰＵ１７は、「ベストショット静止画モード」が継続される場合には、ステップＳ２４を否定判定してステップＳ１２へ戻る。ステップＳ１２へ戻る場合は上述した処理を繰り返す。
【００４２】
図６は、「ベストショット静止画モード」における設定項目と画像選択基準との関係を例示する図である。図６において「動きを表現する」、「背景をぼかす」、「明るさを変える」、および「明暗差を変える」は、それぞれ項目１０１〜１０４に対応する。また、図６において「尖鋭度」、「目つぶり」、「笑顔」、「構図」、および「輝度分布」は、それぞれベストショット画像の選択（ステップＳ２２）用の評価値算出項目を表す。
【００４３】
ＣＰＵ１７は、ベストショット画像を選択（ステップＳ２２）する際、全項目が「○」の場合に全ての評価値の合計を算出し、合計した評価値が高い方から順番にフレーム画像に序列をつけるように構成されている。ＣＰＵ１７は、「◎」の項目が存在する場合、当該評価値の重みを高くして評価値の合計を算出する。一方、ＣＰＵ１７は、「△」の項目が存在する場合、当該評価値の重みを低くして評価値の合計を算出する。なお、「×」の項目が存在する場合は、当該評価値を除外して評価値の合計を算出する。
【００４４】
ＣＰＵ１７は、ライブビュー表示中に行う設定変更であって、図５のステップＳ１７において項目１０１が選択され、シャッター速度が所定速度（例えば１／１２５秒）以上に変更された場合は、図６の「動きを止める」欄に示すように画像選択基準を変更する。ＣＰＵ１７は、ライブビュー表示中に行う設定変更であって、シャッター速度が所定速度（例えば１／６０秒）以下に変更された場合には、図６の「動きを強調する」欄に示すように画像選択基準を変更する。
【００４５】
ＣＰＵ１７は、ライブビュー表示中に行う設定変更であって、図５のステップＳ１７において項目１０１以外の他の項目１０２〜１０４を選択した状態で、それぞれ絞り、露出補正、コントラストについて変更した後にも、変更内容に応じて画像選択基準を変更する。
【００４６】
具体的には、ライブビュー表示中に行うステップＳ１７の項目変更処理において項目１０２が設定され、ステップ２７の設定値変更処理において絞り１２が所定絞り（例えばｆ８）より絞り込む側へ変更された場合に、図６の「背景をくっきりさせる」欄に示したように画像選択基準を変更する。ＣＰＵ１７は、ライブビュー表示中に行う項目変更処理において項目１０２が設定され、ステップＳ２７の設定値変更処理において絞り１２が所定絞り（例えばｆ５．６）より開放側へ変更された場合には、図６の「背景をぼかす」欄に示したように画像選択基準を変更する。
【００４７】
また、ライブビュー表示中に行うステップＳ１７の項目変更処理において項目１０３が設定され、ステップＳ２７の設定値変更処理において＋側の露出補正へ変更された場合に、図６の「明るくする」欄に示したように画像選択基準を変更する。ＣＰＵ１７は、ライブビュー表示中に行う設定値変更処理において、−側の露出補正に変更された場合には、図６の「暗くする」欄に示したように画像選択基準を変更する。
【００４８】
さらにまた、ライブビュー表示中に行うステップＳ１７の項目変更処理において項目１０４が設定され、ステップＳ２７の設定値変更処理において適度なコントラストを保つように設定値が変更された場合に、図６の「バランスをとる」欄に示したように画像選択基準を変更する。ＣＰＵ１７は、ライブビュー表示中の設定値変更処理において、コントラスト変更がなされない場合には、図６の「そのまま」欄に示したような画像選択基準を用いる。
【００４９】
このように、ライブビュー表示中に行うステップＳ１７の項目変更処理と設定値変更処理において行われる変更内容に応じて、ベストショット画像の選択（ステップＳ２２）用の画像選択基準を変更する。
【００５０】
以上説明した実施形態によれば、次の作用効果が得られる。
（１）デジタルカメラ１は、撮像素子１３と、撮像素子１３で撮像された複数のフレーム画像を逐次記憶するＲＡＭ１８と、ＲＡＭ１８に記憶された複数のフレーム画像から、所定の基準に基づく評価値に応じて所定数のフレーム画像を選択するＣＰＵ１７と、ＲＡＭ１８に記憶された画像を表示部１５に逐次表示させるＣＰＵ１７と、表示部１５にライブビュー画像が逐次表示されている状態でライブビュー画像に画像効果を施すＣＰＵ１７と、ライブビュー画像に施す画像効果に応じて、ＣＰＵ１７による選択の基準を変更させるＣＰＵ１７と、を備える。これにより、表示部１５に逐次表示されるライブビュー画像における画像効果を反映したベストショット画像を選択し得る。
【００５１】
（２）上記（１）のデジタルカメラにおいて、ＣＰＵ１７は、ライブビュー画像に施す画像効果の設定値に応じて、ＣＰＵ１７による選択の基準を変更させるので、画像効果を適切に反映したベストショット画像を選択し得る。
【００５２】
（３）上記（２）のデジタルカメラにおいて、ＣＰＵ１７は、シャッター速度が所定値より速く変更された場合に、画像の尖鋭度を示す評価値の重みを高めさせるので、被写体の動きを止めるという画像効果を反映したベストショット画像が選ばれる確率を高められる。
【００５３】
（４）上記（３）のデジタルカメラにおいて、ＣＰＵ１７は、シャッター速度が所定値より遅く変更された場合に、画像の尖鋭度を示す評価値、被写体の目つぶりを示す評価値、および被写体の笑顔を示す評価値のうち、少なくとも１つの評価値の重みを低くさせるので、被写体の動きを強調するという画像効果を反映したベストショット画像が選ばれる確率を高められる。
【００５４】
（５）上記（２）のデジタルカメラにおいて、ＣＰＵ１７は、絞り１２が所定値より絞り込むように変更された場合に、画像の尖鋭度を示す評価値の重みを高めさせるので、背景をくっきりさせるという画像効果を反映したベストショット画像が選ばれる確率を高められる。
【００５５】
（６）上記（５）のデジタルカメラにおいて、ＣＰＵ１７は、絞り１２が所定値より開放側へ変更された場合に、画像の尖鋭度を示す評価値の重みを低くさせるので、背景をぼかすという画像効果を反映したベストショット画像が選ばれる確率を高められる。
【００５６】
（７）上記（２）のデジタルカメラにおいて、ＣＰＵ１７は、露出補正が正側に変更された場合に、画像の構図を示す評価値の重みを高めさせるので、画像を明るくするという画像効果を反映したベストショット画像が選ばれる確率を高められる。
【００５７】
（８）上記（７）のデジタルカメラにおいて、ＣＰＵ１７は、露出補正が負側に変更された場合に、画像の尖鋭度を示す評価値、および画像の輝度分布を示す評価値に基づいて画像を選択させるので、画像を暗くするという画像効果を反映したベストショット画像が選ばれる確率を高められる。
【００５８】
（９）上記（２）のデジタルカメラにおいて、ＣＰＵ１７は、コントラスト補正を行うように変更された場合に、画像の輝度分布を示す評価値の重みを高めさせるので、画像の明暗差のバランスをとるという画像効果を反映したベストショット画像が選ばれる確率を高められる。
【００５９】
（１０）上記（９）のデジタルカメラにおいて、ＣＰＵ１７は、コントラスト補正を行わないように変更された場合に、画像の輝度分布を示す評価値の重みを低くさせるので、画像の明暗差をそのまま保つという画像効果を反映したベストショット画像が選ばれる確率を高められる。
【００６０】
（変形例１）
上述した説明では、２０枚のフレーム画像の中からベストショット画像１枚を含む５枚の画像を選ぶようにしたが、フレーム数２０や、選択する画像の枚数は、上述した値に限ることなしに適宜変更して構わない。
【００６１】
（変形例２）
ベストショット画像の選択（ステップＳ２２）に用いる評価値算出項目として、「尖鋭度」、「目つぶり」、「笑顔」、「構図」、および「輝度分布」を用いたが、これら以外にも、「被写体の大きさ」や「顔の大きさ」などを評価値算出項目に加えてもよい。
【００６２】
（変形例３）
図６において「×」の項目に対し、当該評価値の重みを低くした上で評価値の合計を算出してもよい。また、「×」の項目が複数存在する場合は、少なくとも１つの項目について、当該評価値の重みを低くした上で評価値の合計を算出してもよい。
【００６３】
（変形例４） 
上述した説明では、図５のステップＳ１７で項目設定を変更した場合に、ライブビュー画像に付加されている画像効果を一旦解除した上で、ステップＳ２５以降において変更後の項目について画像効果を付加するように説明した。この代わりに、ライブビュー画像に付加されている画像効果を解除せずに、ステップＳ２５以降において複数項目の画像効果を重ねて付加する構成にしてもよい。
【００６４】
以上の説明はあくまで一例であり、上記の実施形態の構成に何ら限定されるものではない。
【符号の説明】
【００６５】
１…デジタルカメラ
１１…撮像光学系
１２…絞り
１３…撮像素子
１４…画像処理部
１５…表示部
１６…絞り駆動部
１７…ＣＰＵ
１８…ＲＡＭ
２０…画像記録／再生部
２１…操作部材
３０…記録媒体
【図１】
2014086871.tif 000003
【図２】
2014086871.tif 000004
【図３】
2014086871.tif 000005
【図４】
2014086871.tif 000006
【図５】
2014086871.tif 000007
【図６】
2014086871.tif 000008